(57)【要約】【課題】カルシウムやマグネシウム等の析出物が剥がれた異物が流れ込むことに起因する温水供給電磁弁の不具合を防止できる温水タンクを提供することを目的とする。【解決手段】導水部１３は接続管１４開口が連通されている連通穴１１ｂを覆うようにして固定部１３ｂでタンク本体１１のタンク本体側面１１ａに固定され、温水を連通穴１１ｂに導く導水板１３ａには接続管１４開口に連通する連通穴１１ｂの上方となる位置に庇１３ｃが設けられ、庇１３ｃの下側には温水を導水部１３に流入させる流入部１３ｄを設けている。また、接続管１４開口に連通する連通穴１１ｂの下方となる位置には異物受け部１３ｅを設けている。【選択図】図２
2010170365.tif 000002
【特許請求の範囲】
【請求項１】
原料および温水を用いて飲料を調理するための飲料調理装置に設けられる温水タンクであって、タンク本体側面に設けた接続管を介して給水弁を取り付け、当該給水弁を通じて前記タンク本体内に貯留している温水を前記飲料調理装置の調理部に供給する温水タンクにおいて、
前記接続管に温水を導く導水部を前記タンク本体内に配設し、当該導水部の前記接続管開口上方に庇を設けたことを特徴とする温水タンク。
【請求項２】
前記庇の下側に温水を導水部に流入させる流入部を設けたことを特徴とする請求項１に記載の温水タンク。
【請求項３】
前記庇の幅を前記接続管開口の幅より大きくしたことを特徴とする請求項１または２に記載の温水タンク。
【請求項４】
原料および温水を用いて飲料を調理するための飲料調理装置に設けられる温水タンクであって、タンク本体側面に設けた接続管を介して給水弁を取り付け、当該給水弁を通じて前記タンク本体内に貯留している温水を前記飲料調理装置の調理部に供給する温水タンクにおいて、
前記接続管に温水を導く導水部を前記タンク本体内に配設し、当該導水部の前記接続管開口下方に異物受け部を設けたことを特徴とする温水タンク。
【発明の詳細な説明】
【技術分野】
【０００１】
本発明は、カップ式自動販売機等の飲料調理装置の調理部に温水を供給する温水タンクに関するものである。
【背景技術】
【０００２】
飲料原料および温水を用いて飲料を調理する飲料調理装置（例えばカップ式自動販売機や飲料ディスペンサ）が知られている。図３は温水タンクを搭載したカップ式自動販売機の水回路図である。カップ式自動販売機１は、弁を開閉して水道から供給される飲用水の給水・停止を行う水入口電磁弁３１、水入口電磁弁３１が開いて供給された飲用水を貯留するリザーバタンク３０、リザーバタンク３０に貯留している飲用水を各機器に圧送する給水ポンプ３２、温水タンク１０に飲用水を圧送するときに弁を開く飲用水電磁弁３３、アイス飲料用の飲用水、炭酸水やシロップを冷却する冷却水槽３４、炭酸ガスを貯蔵する炭酸ガスボンベ３５、シロップを貯蔵するシロップタンク３６、炭酸水を製造して貯留するカーボネータ３７、カップＣに炭酸水を注出する炭酸水ノズル３８、カップＣに飲用水を冷やした冷水を注出する冷水ノズル３９、カップＣにシロップを注出するシロップノズル４０、リザーバタンク３０から供給される飲用水で氷片を製造するオーガ式製氷機４１、給水ポンプ３２を運転して飲用水電磁弁３３を開いてリザーバタンク３０から圧送された飲用水を９５℃〜９７℃に加熱した温水を貯留する温水タンク１０等を備えている。
【０００３】
そして、コーヒーブリュア４４にキャニスタ４２から供給されるコーヒー豆をミル４３で挽いた挽き豆を投入し、温水供給電磁弁２０を開いて温水タンク１０に貯留している温水を注いでコーヒー液を抽出し、キャニスタ４５から供給される砂糖、クリーム等の粉末原料とコーヒーブリュア４４から供給されるコーヒー液をミキシングボウル４６で攪拌混合してコーヒー飲料を調理してコーヒーノズル４７からカップＣにコーヒー飲料を注出する。
【０００４】
図４は従来における温水タンクを示す図である。温水タンク５０は、湯気が機内に充満するのを防ぎ、また、機内の浮遊物が混入するのを防ぐためにタンク本体１１の上面開口を蓋１２で覆い、この蓋１２には、温水の水位変動に従動して昇降するフロート５１、フロート５１の昇降に連動して動作する給水開始スイッチ５２、給水停止スイッチ５３や電気ヒータ５４が取り付けられている。そして、温水の水位が下がりフロート５１が所定の位置まで降下すると給水開始スイッチ５２が給水開始信号を出力して制御部（図示せず）が給水ポンプ３２を運転して飲用水電磁弁３３を開いてリザーバタンク３０に貯留している飲用水を温水タンク５０に圧送して給水する。給水により温水の水位が増してフロート５１が所定（喫水面）の位置まで上昇すると給水停止スイッチ５３が給水停止信号を出力して給水ポンプ３２の運転を停止して飲用水電磁弁３３を閉じ、温水タンク５０に温水を所定の水位に保って貯留するようにしている。
【０００５】
さらに、温水タンク５０には湯温センサ５５が設けられ、リザーバタンク３０から供給された飲用水は電気ヒータ５４で湯温センサ５５が上限温度信号を出力する温度（例えば９７℃）まで加熱昇温された温水となり温水タンク５０に貯留される。そして、カップ式自動販売機１の飲料選択ボタン（図示せず）が押されて飲料供給指示が出力されると、タンク本体１１のタンク本体側面１１ａに設けた接続管１４に取り付けられた温水供給電磁弁２０を開いてコーヒーブリュア４４やミキシングボウル４６に温水を供給し、この供給された温水および飲料原料を用いて調理した飲料がコーヒーノズル４７からカップＣに注がれる（例えば、特許文献１参照。）。
【先行技術文献】
【特許文献】
【０００６】
【特許文献１】特開平８−３１５２４４号公報（図２、図３）
【発明の概要】
【発明が解決しようとする課題】
【０００７】
しかしながら、カップ式自動販売機１に供給される飲用水（水道水）にはカルシウムやマグネシウム等が含まれている。温水タンク５０でこのようなカルシウムやマグネシウム等が含まれている飲用水が電気ヒータ５４で湯温センサ５５が上限温度信号を出力する温度（例えば９７℃）まで加熱昇温されると、図５に示しているように、温水中にカルシウムやマグネシウム等の成分が析出して温水タンク５０内の喫水面に付着し、この喫水面に付着した析出物が剥がれると異物として温水表面を浮遊したり、温水の対流により温水中を移動したりする。
【０００８】
そして、カップ式自動販売機１の飲料選択ボタンが押されて飲料供給指示が出力され、温水供給電磁弁２０を開いてコーヒーブリュア４４やミキシングボウル４６に温水を供給する時に、温水表面に浮遊している異物が温水とともに導水部５６に吸い込まれて連通穴１１ｂから接続管１４を介して温水供給電磁弁２０に流れ込み、電磁ソレノイドで開閉するダイアフラム弁である温水供給電磁弁２０の内部に詰まって閉弁時の温水漏れ等の不具合が生じる原因となる虞がある。
【０００９】
さらに、温水の対流に乗って浮遊している異物が接続管１４から温水供給電磁弁２０に流れ込み、前記不具合となることがある。
本発明は、上記実情に鑑みて、温水タンク内の喫水面に付着したカルシウムやマグネシウム等の析出物が剥がれた異物が流れ込むことに起因する温水供給電磁弁の温水漏れ等の不具合を防止して信頼性を向上することができる温水タンクを提供することを目的とする。
【課題を解決するための手段】
【００１０】
上記目的を達成するため、本発明の請求項１に係る温水タンクは、原料および温水を用いて飲料を調理するための飲料調理装置に設けられる温水タンクであって、タンク本体側面に設けた接続管を介して給水弁を取り付け、当該給水弁を通じて前記タンク本体内に貯留している温水を前記飲料調理装置の調理部に供給する温水タンクにおいて、
前記接続管に温水を導く導水部を前記タンク本体内に配設し、当該導水部の前記接続管開口上方に庇を設けたことを特徴とする。
【００１１】
また、本発明の請求項２に係る温水タンクは、上述した請求項１において、前記庇の下側に温水を導水部に流入させる流入部を設けたことを特徴とする。
また、本発明の請求項３に係る温水タンクは、上述した請求項１または２において、前記庇の幅を前記接続管開口の幅より大きくしたことを特徴とする。
また、本発明の請求項４に係る温水タンクは、原料および温水を用いて飲料を調理するための飲料調理装置に設けられる温水タンクであって、タンク本体側面に設けた接続管を介して給水弁を取り付け、当該給水弁を通じて前記タンク本体内に貯留している温水を前記飲料調理装置の調理部に供給する温水タンクにおいて、
前記接続管に温水を導く導水部を前記タンク本体内に配設し、当該導水部の前記接続管開口下方に異物受け部を設けたことを特徴とする。
【発明の効果】
【００１２】
請求項１の発明によれば、原料および温水を用いて飲料を調理するための飲料調理装置に設けられる温水タンクであって、タンク本体側面に設けた接続管を介して給水弁を取り付け、当該給水弁を通じてタンク本体内に貯留している温水を飲料調理装置の調理部に供給する温水タンクにおいて、接続管に温水を導く導水部をタンク本体内に配設し、当該導水部の接続管開口上方に庇を設けたので、温水タンク内の喫水面に付着したカルシウムやマグネシウム等の析出物が剥がれた異物が沈みこんでも庇上に止まり、接続管に流れ込まなくなるので、異物が流れ込むことに起因する給水弁の温水漏れ等の不具合を防止して信頼性を向上することができる温水タンクを提供することが可能となる。
【００１３】
また、請求項２の発明によれば、庇の下側に温水を導水部に流入させる流入部を設けたので、給水弁を開いて調理部に温水を供給する時に、導水部に吸い込まれる温水が温水表面より低い位置で流入するようになるので、温水表面に浮遊している異物が温水とともに導水部に吸い込まれて接続管から給水弁に流れ込むことを防止することが可能となる。
また、請求項３の発明によれば、庇の幅を接続管開口の幅より大きくしたので、温水タンク内の喫水面に付着したカルシウムやマグネシウム等の析出物が剥がれて沈み込んだ異物を庇上に確実に止めることが可能となる。
【００１４】
また、請求項４の発明によれば、原料および温水を用いて飲料を調理するための飲料調理装置に設けられる温水タンクであって、タンク本体側面に設けた接続管を介して給水弁を取り付け、当該給水弁を通じてタンク本体内に貯留している温水を飲料調理装置の調理部に供給する温水タンクにおいて、接続管に温水を導く導水部をタンク本体内に配設し、当該導水部の接続管開口下方に異物受け部を設けたので、温水タンク内の喫水面に付着したカルシウムやマグネシウム等の析出物が剥がれた異物が導水部へ流れ込んでも異物受け部に蓄積されるので、析出物が剥がれた異物が温水の対流によって浮遊して接続管に流れ込むことを防ぎ、異物が流れ込むことに起因する給水弁の温水漏れ等の不具合を防止して信頼性を向上することができる温水タンクを提供することが可能となる。
【図面の簡単な説明】
【００１５】
【図１】本発明の実施の形態に係る温水タンクの導水部を示す鳥瞰図である。
【図２】図１に示した温水タンクの導水部の断面側面図である。
【図３】温水タンクを搭載したカップ式自動販売機の水回路図である。
【図４】従来における温水タンク図である。
【図５】従来における温水タンク図の導水部を示す鳥瞰図である。
【発明を実施するための形態】
【００１６】
以下に添付図面を参照して、本発明に係る温水タンクの好適な実施の形態について詳細に説明する。なお、この実施の形態によりこの発明が限定されるものではない。
図１は、本発明の実施の形態に係る温水タンク１０の導水部１３を示すためにタンク本体１１および蓋１２を破断した鳥瞰図である。温水タンク１０は、湯気が機内に充満することを防ぎ、また、機内の浮遊物が混入することを防ぐための蓋１２でタンク本体１１の上面開口を覆っている。そしてタンク本体１１のタンク本体側面１１ａには接続管１４（図２参照）が連通される連通穴１１ｂが設けられ、連通穴１１ｂは接続管１４開口に合致している。導水部１３は連通穴１１ｂを覆うようにしてタンク本体側面１１ａに溶接等により固定部１３ｂで固定され、温水を連通穴１１ｂに導く導水板１３ａと、接続管１４に連通する連通穴１１ｂの上方となる位置には接続管１４開口に合致する連通穴１１ｂより幅が大きい庇１３ｃが設けられ、庇１３ｃの下側には導水部１３に温水を流入させる流入部１３ｄを設け、庇１３ｃは喫水面の下方となるようにしている。さらに、接続管１４に連通する連通穴１１ｂの下方となる位置には異物受け部１３ｅを設けるようにしている。
【００１７】
図２は、本発明の実施の形態に係る温水タンク１０の導水部１３および温水供給電磁弁（給水弁）２０の断面側面図である。温水供給電磁弁２０はスプリング２３の反発力でダイアフラム弁２４が弁座２５に押圧されることにより常時は弁が閉じられており、電磁コイル２１が通電されると、プランジャ２２がスプリング２３を圧縮して上方向（図中）に移動することによりダイアフラム弁２４が弁座２５から離れて弁が開き、接続管１４を通じて温水タンク１０に貯留されている温水が流入路２６から流入して流出路２７から流出し、温水供給電磁弁２０と連通されているコーヒーブリュア４４やミキシングボウル４６に温水を供給することができる。また、温水供給電磁弁２０には温水の流量を調整するための流量調整ねじ２８が設けられている。
【００１８】
導水部１３は接続管１４が連通されている連通穴１１ｂを覆うようにして固定部１３ｂでタンク本体１１のタンク本体側面１１ａに固定され、温水を連通穴１１ｂに導く導水板１３ａには接続管１４に連通する連通穴１１ｂの上方となる位置に庇１３ｃが設けられ、庇１３ｃの下側には温水を導水部１３に流入させる流入部１３ｄを設けている。また、接続管１４に連通する連通穴１１ｂの下方となる位置には異物受け部１３ｅを設けている。
【００１９】
このように、飲料原料および温水を用いて飲料を調理するためのカップ式自動販売機（飲料調理装置）１に設けられる温水タンク１０のタンク本体１１のタンク本体側面１１ａに設けた接続管１４を介して温水供給電磁弁２０を取り付け、温水供給電磁弁２０を通じてタンク本体１１内に貯留している温水をカップ式自動販売機１のコーヒーブリュア４４やミキシングボウル４６に供給する温水タンク１０において、接続管１４に温水を導く導水部１３をタンク本体１１内に配設し、導水部１３の接続管１４開口上方に庇１３ｃを設けたので、温水タンク１０内の喫水面に付着したカルシウムやマグネシウム等の析出物が剥がれた異物が沈み込んでも庇１３ｃ上に止まり、接続管１４に流れ込まなくなるので、異物が流れ込むことに起因する温水供給電磁弁２０の温水漏れ等の不具合を防止して信頼性を向上することができる温水タンク１０を提供することができる。
【００２０】
庇１３ｃの下側に温水を導水部１３に流入させる流入部１３ｄを設けたので、温水供給電磁弁２０を開いてコーヒーブリュア４４やミキシングボウル４６に温水を供給する時に、導水部１３に吸い込まれる温水が温水表面より低い位置で流入するようになるので、温水表面に浮遊している異物が温水とともに導水部１３に吸い込まれて接続管１４から温水供給電磁弁２０に流れ込むことを防止することができる。
【００２１】
また、庇１３ｃの幅を接続管１４開口の幅より大きくしたので、温水タンク１１内の喫水面に付着したカルシウムやマグネシウム等の析出物が剥がれて沈み込んだ異物を庇１３ｃ上に確実に止めることができるので、異物が接続管１４に流れ込むことを防ぎ、異物が流れ込むことに起因する温水供給電磁弁２０の温水漏れ等の不具合を防止して信頼性を向上することができる温水タンク１０を提供することができる。
【００２２】
さらに、接続管１４に温水を導く導水部１３をタンク本体１１内に配設し、導水部１３の接続管１４開口下方に異物受け部１３ｅを設けたので、温水タンク１０内の喫水面に付着したカルシウムやマグネシウム等の析出物が剥がれた異物が温水の対流によって浮遊して導水部１３へ流れ込んでも異物受け部１３ｅに蓄積されるので、異物が接続管１４に流れ込むことを防ぎ、異物が流れ込むことに起因する温水供給電磁弁２０の温水漏れ等の不具合を防止して信頼性を向上することができる温水タンク１０を提供することができる。
【００２３】
尚、庇１３ｃや異物受け部１３ｅを導水部１３に一体で設けた実施の形態で説明しているが、庇１３ｃや異物受け部１３ｅを別部品として設けるようにしても良い。
【符号の説明】
【００２４】
１      カップ式自動販売機（飲料調理装置）
１０      温水タンク
１１      タンク本体
１１ａ    タンク本体側面
１２      蓋
１３      導水部
１３ａ    導水板
１３ｂ    固定部
１３ｃ    庇
１３ｄ    流入部
１３ｅ    異物受け部
１４      接続管
２０      温水供給電磁弁（給水弁）
４４      コーヒーブリュア（調理部）
４６      ミキシングボウル（調理部）
【図１】
2010170365.tif 000003
【図２】
2010170365.tif 000004
【図３】
2010170365.tif 000005
【図５】
2010170365.tif 000006
【図４】
2010170365.tif 000007